(57)【要約】【課題】本発明は、配管を行なう際の高さスペースが少ない場合であっても、上端受口または挿口と下端受口または挿口の中心軸の位置を調節して中心軸の位置ずれを解消することが出来るオフセット継手を提供することを課題とする。【解決手段】オフセット継手本体８と、オフセット短筒部材９とからなり、該オフセット継手本体８の下端には下端受口１０または挿口が形成され、上端には該下端受口１０または挿口とは異軸のオフセット広口受口１１が形成されており、該オフセット短筒部材９の下端には該オフセット広口受口１１と同軸のオフセット広口挿口１２が形成され、上端には該オフセット広口挿口１２とは異軸の上端受口１３または挿口が形成されており、該オフセット短筒部材９は該オフセット継手本体８のオフセット広口受口１１に回転可能に嵌着されているオフセット継手４を提供する。【選択図】    図２
2005240345.tif 000002
【特許請求の範囲】
【請求項１】
オフセット継手本体と、オフセット短筒部材とからなり、該オフセット継手本体の下端には下端受口または挿口が形成され、上端には該下端受口または挿口とは異軸のオフセット広口受口が形成されており、該オフセット短筒部材の下端には該オフセット広口受口と同軸のオフセット広口挿口が形成され、上端には該オフセット広口挿口とは異軸の上端受口または挿口が形成されており、該オフセット短筒部材は該オフセット継手本体のオフセット広口受口に回転可能に嵌着されていることを特徴とするオフセット継手。
【請求項２】
該オフセット継手本体のオフセット広口受口の内周と、該オフセット短筒部材の外周との間にはＯリングが介在している請求項１に記載のオフセット継手。
【発明の詳細な説明】
【技術分野】
【０００１】
本発明は主として排水システムに使用されるオフセット継手に関する。
【背景技術】
【０００２】
従来、屋内排水設備の排水口（上流管）の中心軸と、屋外排水ますに連絡する床下の屋内排水管に接続された立上管（下流管）の中心軸とがずれている場合に、該屋内排水設備の排水口と該立上管との間に接続して上述のような中心軸の位置ずれを解消することが出来る配管部材として、軸心が平行にずれた二個の曲管の一端部が回動部で相互に回動固定可能に接合され、曲管の他端部がユニオンナットにより他の配管部材に接合可能となされている位置ズレ調節配管部材が一般に提供されている（特許文献１参照）。
【０００３】
【特許文献１】特開２００３−１２０８８４号公報（第３−４頁、第１図）
【発明の開示】
【発明が解決しようとする課題】
【０００４】
しかしながら上記従来の構成では、屋内排水設備の排水口と立上管との間において二個の曲管を接合するため、配管を行なう場合に十分な高さスペースが必要であるのに対し、通常、床下高は約３００ｍｍと高さスペースが少ないので、上記位置ずれ調節配管部材を使用することが出来ないという問題があった。
また、床下の高さスペースが少ない場合には、複数個の９０°エルボや短管を使用して、排水管路を形成することも考えられるが、その場合には配管構造が非常に複雑になり、配管作業に要する費用や労力が増大するとともに、円滑な水流を確保することが出来ないという問題があった。
【課題を解決するための手段】
【０００５】
本発明は上記従来の課題を解決するための手段として、オフセット継手本体(8) と、オフセット短筒部材(9) とからなり、該オフセット継手本体(8) の下端には下端受口(10)または挿口(10A) が形成され、上端には該下端受口(10)または挿口(10A) とは異軸のオフセット広口受口(11)が形成されており、該オフセット短筒部材(9) の下端には該オフセット広口受口(11)と同軸のオフセット広口挿口(12)が形成され、上端には該オフセット広口挿口(12)とは異軸の上端受口(13)または挿口(13A) が形成されており、該オフセット短筒部材(9) は該オフセット継手本体(8) のオフセット広口受口(11)に回転可能に嵌着されているオフセット継手(4) を提供するものである。
該オフセット継手本体(8) のオフセット広口受口(11)の内周と、該オフセット短筒部材(9) の外周との間にはＯリング(14)が介在していることが望ましい。
【発明の効果】
【０００６】
本発明のオフセット継手(4) では、オフセット継手本体(8) のオフセット広口受口(11)内でオフセット短筒部材(9) を回転させることによって、オフセット継手本体(8) の下端受口(10)または挿口(10A) の中心軸Ｘａとオフセット短筒部材(9) の上端受口(13)または挿口(13A) の中心軸Ｘｃの位置を調節することが出来るので、高さスペースＳが少ない場合であっても、該上端受口(13)または挿口(13A) に接続される上流管と該下端受口(10)または挿口(10A) に接続される下流管との中心軸Ｘａ、Ｘｃの位置ずれを解消することが出来る。
また、一つのオフセット継手(4) を使用するだけで異軸の上流管と下流管を接続することが出来るため、配管構造が非常にシンプルになり、配管作業に要する費用や労力を低減することが出来るとともに、円滑な水流を確保することが可能となる。
【発明を実施するための最良の形態】
【０００７】
以下、本発明を実施例により詳細に説明する。
【実施例１】
【０００８】
図１および図２は実施例１を示す。
図１に示すように、屋外排水ます（図示せず）に連絡する床下の屋内排水管(1) には９０°エルボ(2) を介して立上管(3) が接続されており、該立上管(3) はオフセット継手(4) を介して垂直排水管(5) に接続されており、該垂直排水管(5) は床Ｆを貫通して例えばトイレなどの屋内排水設備(7) の排水口(6) に接続されている。
【０００９】
図２に示すように、該オフセット継手(4) は、オフセット継手本体(8) と、オフセット短筒部材(9) とからなり、該オフセット継手本体(8) の下端には下端受口(10)が形成されており、該オフセット継手本体(8) の上端には該下端受口(10)とは異軸のオフセット広口受口(11)が形成されている。
一方、該オフセット短筒部材(9) の下端には該オフセット広口受口(11)と同軸のオフセット広口挿口(12)が形成されており、該オフセット短筒部材(9) の上端には該オフセット広口挿口(12)とは異軸の上端受口(13)が立ち上げ形成されている。該オフセット短筒部材(9) は該オフセット継手本体(8) のオフセット広口受口(11)に回転可能に嵌着されており、該オフセット継手本体(8) のオフセット広口受口(11)の内周と、該オフセット短筒部材(9) の外周との間には、該オフセット広口受口(11)と該オフセット短筒部材(9) との間をシールするためのＯリング(14)が介在されている。
【００１０】
また、該オフセット継手本体(8) のオフセット広口受口(11)の上端内周には、該オフセット短筒部材(9) が該オフセット広口受口(11)から脱け出すのを防止するための係止フランジ(15)が突設されている。
【００１１】
該オフセット継手(4) を使用する場合には、オフセット継手本体(8) の下端受口(10)に立上管(3) を挿し込んだ後、該立上管(3) に対してオフセット継手本体(8) を回転させると共に該オフセット継手本体(8) のオフセット広口受口(11)内でオフセット短筒部材(9) を回転させて、該オフセット短筒部材(9) の上端受口(13)の中心軸Ｘｃを垂直排水管(5) の中心軸Ｘｃに一致させて位置決めした後、オフセット継手本体(8) の下端受口(10)を立上管(3) の決められた位置に接着剤を用いて接着し、次いで該オフセット短筒部材(9) の上端受口(13)に該垂直排水管(5) を挿し込んで接着剤を用いて接着する。
【００１２】
上記のオフセット継手(4) では、オフセット継手本体(8) のオフセット広口受口(11)内でオフセット短筒部材(9) を回転させることによって、オフセット継手本体(8) の下端受口(10)の中心軸Ｘａとオフセット短筒部材(9) の上端受口(13)の中心軸Ｘｃの位置を調節することが出来るので、高さスペースＳが少ない場合であっても、該上端受口(13)に接続される垂直排水管(5) （上流管）と該下端受口(10)に接続される立上管(3) （下流管）との中心軸Ｘａ、Ｘｃの位置ずれを解消することが出来る。
【００１３】
すなわち、立上管(3) に対してオフセット継手本体(8) を回転させるとともに、該オフセット継手本体(8) に対してオフセット短筒部材(9) を回転させることによって、下端受口(10)の中心軸Ｘａ（立上管(3) の中心軸Ｘａ）と上端受口(13)の中心軸Ｘｃ（垂直排水管(5) の中心軸Ｘｃ）の位置を調整することが出来るので、立上管(3) の中心軸Ｘａの位置と垂直排水管(5) の中心軸Ｘｃの位置とが少々ずれている場合であっても、該立上管(3) と該垂直排水管(5) とを該オフセット継手(4) を介して簡単に接続することが可能である。
【００１４】
なお本実施例では、下端受口(10)の中心軸Ｘａとオフセット広口受口(11)の中心軸Ｘｂとの軸間距離が３５．５ｍｍに設定されており、オフセット広口受口(11)の中心軸Ｘｂと上端受口(13)の中心軸Ｘｃとの軸間距離が３２．５ｍｍに設定されているため、立上管(3) の中心軸Ｘａの位置と垂直排水管(5) の中心軸Ｘｃの位置のずれが３ｍｍ〜６８ｍｍの範囲内であれば、該オフセット継手(4) を介して該立上管(3) と該垂直排水管(5) とを接続することが出来る。
【００１５】
また、上記のオフセット継手(4) では、一つのオフセット継手(4) を使用するだけで異軸の上流管と下流管を接続することが出来るため、配管構造が非常にシンプルになり、配管作業に要する費用や労力を低減することが出来るとともに、円滑な水流を確保することが可能となる。
【実施例２】
【００１６】
図３および図４は実施例２を示す。
図３に示すように、床下基礎(16)内には内外に通じた状態で９０°曲り鞘管(17)が埋設されており、該９０°曲り鞘管(17)内には独立波付け二重管の可撓管(18)が挿通されている。該可撓管(18)の下流側には直管可撓管変換継手(19)を介して屋外排水管(20)が接続されており、該屋外排水管(20)は屋外排水ます（図示せず）に連絡している。一方、該可撓管(18)の上流側には実施例１と同様のオフセット継手(4) を介して垂直排水管(5) が接続されており、該垂直排水管(5) は床Ｆを貫通して例えばトイレなどの屋内排水設備(7) の排水口(6) に接続されている。
【００１７】
図４に示すように、可撓管(18)の上流端にオフセット継手(4) を回転可能に接続する場合には、まず、該可撓管(18)に袋ナット(21)を摺動可能に外嵌しておき、次いで、該可撓管(18)の先端部にシールリング(22)を嵌着し、更に、該可撓管(18)の所定箇所に固定リング(23)を嵌着する。そして、オフセット継手本体(8) の下端受口(10)に該可撓管(18)を挿し込んだ後、該固定リング(23)に袋ナット(21)の係止部(24)を係止させるとともに、該袋ナット(21)を該下端受口(10)の外周のねじ部(25)に螺着する。
その後、可撓管(18)に対しオフセット継手本体(8) を回転させると共に該オフセット継手本体(8) のオフセット広口受口(11)内でオフセット短筒部材(9) を回転させて、該オフセット短筒部材(9) の上端受口(13)の中心軸Ｘｃを垂直排水管(5) の中心軸Ｘｃに一致させ、該オフセット継手本体(8) の下端受口(10)に該可撓管(18)を締付け固定し、該オフセット短筒部材(9) の上端受口(13)に該垂直排水管(5) を挿し込んで接着剤を用いて接着する。
【００１８】
本実施例のオフセット継手(4) でも、実施例１と同様の作用効果を奏することが出来る。すなわち、オフセット継手本体(8) のオフセット広口受口(11)内でオフセット短筒部材(9) を回転させることによって、オフセット継手本体(8) の下端受口(10)の中心軸Ｘａとオフセット短筒部材(9) の上端受口(13)の中心軸Ｘｃの位置を調節することが出来るので、高さスペースＳが少ない場合であっても、該上端受口(13)に接続される垂直排水管(5) （上流管）と該下端受口(10)に接続される９０°曲り鞘管(17)内の可撓管(18)（下流管）との中心軸Ｘａ、Ｘｃの位置ずれを解消することが出来る。
また、一つのオフセット継手(4) を使用するだけで異軸の上流管と下流管を接続することが出来るため、配管構造が非常にシンプルになり、配管作業に要する費用や労力を低減することが出来るとともに、円滑な水流を確保することが可能となる。
【実施例３】
【００１９】
図５および図６は実施例３を示す。
実施例１にあってはオフセット継手本体(8) の下端に受口(10)が形成されているが、本実施例のオフセット継手(4) にあっては、オフセット継手本体(8) の下端には下端挿口(10A) が一体的に形成されている。
【００２０】
本実施例のオフセット継手(4) にあっては、必要であれば該オフセット継手(4) の下端挿口(10A) を床下屋内排水管(1) の９０°エルボ(2) の位置に合わせてカットし、該エルボ(2) の受口に対し該オフセット継手本体(8) を回転させると共に該オフセット継手本体(8) のオフセット広口受口(11)内でオフセット短筒部材(9) を回転させて、図６に示すように位置決めした後、該オフセット継手本体(8) の下端挿口(10A) を該エルボ(2) の受口に接続し接着固定し、そして床Ｆを貫通する垂直排水管(5) の下端を該オフセット継手(4) のオフセット広口受口(11)に嵌着されているオフセット短筒部材(9) の上端受口(13)に接続し接着固定する。
上記したように本実施例のオフセット継手(4) を使用すると、立上管(3) は不要になる。
【実施例４】
【００２１】
図７および図８は実施例４を示す。
実施例３にあっては、オフセット短筒部材(9) の上端受口(13)が設けられているが、本実施例のオフセット継手(4) にあっては、該オフセット短筒部材(9) から上側挿口(13A) が立設されている。
本実施例のオフセット継手(4) にあっては、図８に示すように該上側挿口(13A) を床Ｆを貫通せしめ、図示しない屋内排水設備の排水口(6) に接続する。この場合、床下屋内排水管(1) の９０°エルボ(2) の受口に対し該オフセット継手本体(8) を回転させると共に床Ｆの該上側挿口(13A) 貫通部分の周りに該オフセット継手(4) のオフセット短筒部材(9) を回転させて該上側挿口(13A) と該排水口(6) との中心軸を一致させるに充分なスペースＳＰを設けておくことが望ましい。充分なスペースＳＰを設けておくには例えば柱組みの状態で配管施工した後、床貼りしてもよい。
上記したように本実施例のオフセット継手(4) を使用すると、垂直排水管(5) は不要になる。
【００２２】
以上、本発明の実施の形態を実施例１〜４により説明したが、本発明の範囲はこれらに限定されるものではなく、請求項に記載された範囲内において目的に応じて変更・変形することが可能である。
例えば、上記実施例２以外、可撓管(18)の上流側には直管（図示せず）を介してオフセット継手(4) が接続されてもよい。すなわち、可撓管(18)の上流側に直管の下端部を接続し、該直管の上端部をオフセット継手本体(8) の下端受口(10)に接続するとともに、オフセット短筒部材(9) の上端受口(13)に垂直排水管(5) を接続してもよい。
また、上記実施例１または実施例２では、接着剤を用いて立上管(3) と下端受口(10)（または上端受口(13)と垂直排水管(5) ）を接着したが、例えばゴム輪（図示せず）を介して立上管(3) と下端受口(10)（または上端受口(13)と垂直排水管(5) ）をゴム輪接合してもよい。
【産業上の利用可能性】
【００２３】
本発明は、配管を行なう際の高さスペースが少ない場合であっても、上端受口と下端受口の中心軸の位置を調節して中心軸の位置ずれを解消することが出来るオフセット継手として、産業上利用することが出来る。
【図面の簡単な説明】
【００２４】
【図１】実施例１のオフセット継手の使用状態を示す説明側面図である。
【図２】実施例１のオフセット継手の説明側断面図である。
【図３】実施例２のオフセット継手の使用状態を示す説明側面図である。
【図４】実施例２のオフセット継手の説明側断面図である。
【図５】実施例３のオフセット継手の説明側断面図である。
【図６】実施例３のオフセット継手の使用状態を示す説明側面図である。
【図７】実施例４のオフセット継手の説明側断面図である。
【図８】実施例３のオフセット継手の使用状態を示す説明側面図である。
【符号の説明】
【００２５】
4    オフセット継手
8    オフセット継手本体
9    オフセット短筒部材
10    下端受口
10A   下端挿口
11    オフセット広口受口
12    オフセット広口挿口
13    上端受口
13A   上端挿口
14    Ｏリング
【図１】
2005240345.tif 000003
【図２】
2005240345.tif 000004
【図３】
2005240345.tif 000005
【図４】
2005240345.tif 000006
【図５】
2005240345.tif 000007
【図６】
2005240345.tif 000008
【図７】
2005240345.tif 000009
【図８】
2005240345.tif 000010